【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
Ｎ個（Ｎは２以上の整数）以上の液体受給部を有する液体噴射装置に装着される液体供給装置であって、
前記液体噴射装置からの駆動信号に応じて、応答信号を返す電気デバイスと、
各前記液体受給部に液体を供給するＮ個の液体供給部と、
各前記液体供給部に対応して設けられたＮ組の端子と、
を備え、
前記電気デバイスは、前記Ｎ組の端子のうちのＭ組（Ｍは２以上Ｎ以下の整数）の端子のうちの１組の端子を介して、前記駆動信号および応答信号を送受信する液体供給装置。
【請求項２】
請求項１に記載の液体供給装置であって、
前記Ｍ組の端子は、前記電気デバイスに対して電気的に並列に接続されている、液体供給装置。
【請求項３】
請求項１に記載の液体供給装置であって、
更に、前記Ｍ組の端子のうちの１組の端子を、前記電気デバイスに対して選択的に接続するスイッチを備える、液体供給装置。
【請求項４】
請求項１に記載の液体供給装置であって、
更に、前記Ｍ組の端子のうち、選択されるべき１組の端子と前記電気デバイスとを導通状態にし、選択されるべきでない他の端子と前記電気デバイスとを非導通状態にするスイッチを備える、液体供給装置。
【請求項５】
請求項１ないし請求項４のいずれかに記載の液体供給装置であって、
前記電気デバイスは、前記液体供給部に前記液体があるか否かを検出することなく、前記液体供給部に前記液体が有ることを示す信号を、前記応答信号として出力するセンサ模擬回路を含む、液体供給装置。
【請求項６】
請求項５に記載の液体供給装置であって、
前記センサ模擬回路は、発振回路を含む、液体供給装置。
【請求項７】
請求項１ないし請求項４のいずれかに記載の液体供給装置であって、
前記電気デバイスは、前記液体供給部に前記液体が有るか否かに応じて異なる信号を、前記応答信号として出力するセンサを含む、液体供給装置。
【請求項８】
請求項７に記載の液体供給装置において、
前記センサは、圧電素子を含む、液体供給装置。
【請求項９】
請求項１ないし請求項８のいずれかに記載の液体供給装置であって、
前記電気デバイスと前記Ｍ組の端子のうちの第１組の端子との間と、前記電気デバイスと前記Ｍ組の端子のうちの第２組の端子との間とは、配線によって接続され、
前記電気デバイスと前記第１組の端子との間の配線長と、前記電気デバイスと前記第２組の端子との間の配線長が等しい、液体供給装置。
【請求項１０】
請求項１ないし請求項９のいずれかに記載の液体供給装置であって、
前記電気デバイスは、単体で、前記Ｎ組（ただし、Ｍ＝Ｎ）の端子のうちの任意の１組を介して、前記駆動信号と前記応答信号とを送受信する、液体供給装置。
【請求項１１】
Ｎ個（Ｎは２以上の整数）以上の液体受給部と、各前記液体受給部に対応して設けられたＮ組の装置側端子とを有する液体噴射装置に装着される電気回路であって、
前記液体噴射装置からの駆動信号に応じて、応答信号を返す電気デバイスと、
前記液体噴射装置に装着されたときに、前記Ｎ組の装置側端子のうちのＭ組（Ｍは２以上の整数）の端子とそれぞれ電気的に接続されるＭ組の回路側端子と、
を備え、
前記電気デバイスは、前記Ｍ組の回路側端子のうちの１組の回路側端子を介して、前記駆動信号と前記応答信号とを送受信する、電気回路。
【請求項１２】
液体噴射システムであって、
液体噴射装置と、
前記液体噴射装置に装着される液体供給装置と、
を備え、
前記液体噴射装置は、
Ｎ個（Ｎは２以上の整数）以上の液体受給部と、
各前記液体受給部に対応して設けられたＮ組の装置側端子と、
前記Ｎ組の装置側端子のうちの選択された１組の端子のいずれかの端子から駆動信号を出力し、前記選択された１組の端子のいずれかの端子から応答信号を受け付ける、センサ駆動回路と、
を有し、
前記液体供給装置は、
前記駆動信号に応じて、前記応答信号を返す電気デバイスと、
前記液体供給装置が前記液体噴射装置に装着されたときに、前記Ｎ組の噴射装置側端子のうちのＭ組（Ｍは２以上の整数）の端子にそれぞれ電気的に接続されるＭ組の供給装置側端子と、
を有し、
前記電気デバイスは、前記Ｍ組の供給装置側端子のうちの１組の供給装置側端子を介して、前記駆動信号と前記応答信号とを送受信する、液体噴射システム。
【手続補正２】
【補正対象書類名】明細書
【補正対象項目名】０００７
【補正方法】変更
【補正の内容】
【０００７】
〔適用例１〕Ｎ個（Ｎは２以上の整数）以上の液体受給部を有する液体噴射装置に装着される液体供給装置であって、
前記液体噴射装置からの駆動信号に応じて、応答信号を返す電気デバイスと、
各前記液体受給部に液体を供給するＮ個の液体供給部と、
各前記液体供給部に対応して設けられたＮ組の端子と、
を備え、
前記電気デバイスは、前記Ｎ組の端子のうちのＭ組（Ｍは２以上Ｎ以下の整数）の端子のうちの１組の端子を介して、前記駆動信号および応答信号を送受信する液体供給装置。
こうすれば、センサを備えた液体供給装置の使用を想定した液体噴射装置に装着可能な液体供給装置において、正常な動作を維持しつつ、部品点数を削減することができる。
【手続補正３】
【補正対象書類名】明細書
【補正対象項目名】０００８
【補正方法】変更
【補正の内容】
【０００８】
〔適用例２〕適用例１に記載の液体供給装置であって、
前記Ｍ組の端子は、前記電気デバイスに対して電気的に並列に接続されている、液体供給装置。
こうすれば、より簡易な構成にすることができる。
【手続補正４】
【補正対象書類名】明細書
【補正対象項目名】０００９
【補正方法】変更
【補正の内容】
【０００９】
〔適用例３〕適用例１に記載の液体供給装置であって、
更に、前記Ｍ組の端子のうちの１組の端子を、前記電気デバイスに対して選択的に接続するスイッチを備える、液体供給装置。
こうすれば、単に並列にするだけでは対応できない液体噴射装置のための液体供給装置において、正常な動作を維持しつつ、部品点数を削減することができる。
【手続補正５】
【補正対象書類名】明細書
【補正対象項目名】００１０
【補正方法】変更
【補正の内容】
【００１０】
〔適用例４〕  適用例１に記載の液体供給装置であって、
更に、前記Ｍ組の端子のうち、選択されるべき１組の端子と前記電気デバイスとを導通状態にし、選択されるべきでない他の端子と前記電気デバイスとを非導通状態にするスイッチを備える、液体供給装置。
こうすれば、単に並列にするだけでは対応できない液体噴射装置のための液体供給装置において、正常な動作を維持しつつ、部品点数を削減することができる。
【手続補正６】
【補正対象書類名】明細書
【補正対象項目名】００１１
【補正方法】変更
【補正の内容】
【００１１】
〔適用例５〕  適用例１ないし適用例４のいずれかに記載の液体供給装置であって、
前記電気デバイスは、前記液体供給部に前記液体があるか否かを検出することなく、前記液体供給部に前記液体が有ることを示す信号を、前記応答信号として出力するセンサ模擬回路を含む、液体供給装置。
こうすれば、センサを簡易なセンサ模擬回路に置き換えることで、液体供給装置の構成
の簡易化、部品点数の削減を実現することができる。
【手続補正７】
【補正対象書類名】明細書
【補正対象項目名】００１５
【補正方法】変更
【補正の内容】
【００１５】
〔適用例９〕  適用例１ないし適用例８のいずれかに記載の液体供給装置であって、前記電気デバイスと前記Ｍ組の端子のうちの第１組の端子との間と、前記電気デバイスと前記Ｍ組の端子のうちの第２組の端子との間とは、配線によって接続され、
前記電気デバイスと前記第１組の端子との間の配線長と、前記電気デバイスと前記第２組の端子との間の配線長が等しい、液体供給装置。
こうすれば、各組の端子から見て、前記電気デバイスをより等価にすることができる。
【手続補正８】
【補正対象書類名】明細書
【補正対象項目名】００１６
【補正方法】変更
【補正の内容】
【００１６】
〔適用例１０〕  適用例１ないし適用例９のいずれかに記載の液体供給装置であって、前記電気デバイスは、単体で、前記Ｎ組（ただし、Ｍ＝Ｎ）の端子のうちの任意の１組を介して、前記駆動信号と前記応答信号とを送受信する、液体供給装置。
こうすれば、Ｎ組の端子について、１つの電気デバイスを配置するだけでよいので、部品点数を削減できる。